(57)【要約】      （修正有）【課題】エレベーター乗り場ドアの意匠性を保ちながら、エレベーターの運転方向を表示すると共に、到着音を聞き取り易くしたエレベーターの乗り場表示装置を提供する。【解決手段】乗り場表示装置は、表板８及び表示部９により乗り場側に面する意匠面を成し、壁面５に埋設されたボックス１０、チャイムあるいはスピーカ等の聴覚信号を生成する発音装置１１、及び上下の視覚信号を生成する、例えばランプ１２ａ、１２ｂ等を備えた点灯装置１２により構成されている。表示部９はガラスクロス等の布のように微細穴を有し、かつ、光を適度に透過する材料により構成され、乗り場表示装置の正面のみでなく、側面からの点灯状態が確認しやすいように、表板８から突出する形状に形成され、表板８に固定されている。【選択図】図３
2009184803.tif 000002
【特許請求の範囲】
【請求項１】
エレベーター乗り場に設置され、利用者にエレベーターの到着及び運転方向を視覚信号及び聴覚信号で知らせる表示部を備えたエレベーターの乗り場表示装置であって、
前記表示部は、微細穴が形成された部材で構成されることを特徴とするエレベーターの乗り場表示装置。
【請求項２】
エレベーター乗り場に設置され、利用者にエレベーターの到着及び運転方向を視覚信号及び聴覚信号で知らせるエレベーターの乗り場表示装置であって、
前記乗り場表示装置は、
前記乗り場の壁面に埋設されるボックスと、
前記ボックス内に配置され、前記聴覚信号を生成する発音装置と、
前記発音装置と共に前記ボックス内に配置され、前記視覚信号を生成する点灯装置と、
中央部に開口部が形成され、前記壁面に密着するように前記ボックスに固定される表板と、
前記表板の前記開口部を覆うように固定される表示部と、を備え、
前記表示部を微細穴が形成された部材で構成したことを特徴とするエレベーターの乗り場表示装置。
【請求項３】
前記表示部は、前記表板から突出する形状に形成されると共に、前記表板に固定されることを特徴とする請求項２に記載のエレベーターの乗り場表示装置。
【請求項４】
エレベーター乗り場に設置され、利用者にエレベーターの到着及び運転方向を視覚信号及び聴覚信号で知らせる表示部を備えたエレベーターの乗り場表示装置であって、
前記表示部は、前記乗り場の壁面から所定の間隙を形成して配置されることを特徴とするエレベーターの乗り場表示装置。
【請求項５】
エレベーター乗り場に設置され、利用者にエレベーターの到着及び運転方向を視覚信号及び聴覚信号で知らせるエレベーターの乗り場表示装置であって、
前記乗り場表示装置は、
前記乗り場の壁面に埋設されるボックスと、
前記ボックス内に配置され、前記聴覚信号を生成する発音装置と、
前記発音装置と共に前記ボックス内に配置され、前記視覚信号を生成する点灯装置と、
中央部に開口部が形成され、前記壁面に密着するように前記ボックスに固定される表板と、
前記表板と所定の間隙を形成して配置される表示部と、を備え、
前記表示部を前記乗り場の壁面から所定の間隙を形成して配置されることを特徴とするエレベーターの乗り場表示装置。
【請求項６】
前記表示部は、前記表板から突出する円弧状に形成されると共に、上下方向に開口部が形成されることを特徴とする請求項５に記載のエレベーターの乗り場表示装置。
【請求項７】
前記発音装置は、前記点灯装置の照光範囲を避けて配置されると共に、音の出る面を前記表示部側に向けて斜めに配置されることを特徴とする請求項２、請求項３、請求項５、及び請求項６の何れかに記載のエレベーターの乗り場表示装置。
【発明の詳細な説明】
【技術分野】
【０００１】
この発明は、エレベーター乗り場に設置されてエレベーターの到着及び運転方向を利用者に知らせるエレベーターの乗り場表示装置に関するものである。
【背景技術】
【０００２】
一般に、エレベーター乗り場の利用者に対し、エレベーターの到着及び運転方向を知らせる装置として、ホールランタンや到着チャイムが用いられている。ホールランタンは乗り場ドアの近傍に設置され、エレベーター到着時に運転方向を示す表示灯（表示部にはアクリル等の樹脂材やガラスなどが適用されることが多い）が点灯することにより、利用者にエレベーターの到着及び運転方向を知らせている。また、到着チャイムは、通常、エレベーター昇降路内に設置され、上下それぞれの方向を示す到着音を鳴らすことにより、エレベーター到着時に運転方向を知らせている。
【０００３】
ホールランタンは乗り場に面して設置されるが、到着チャイムはエレベーター昇降路内に設置されるため、到着音が不明確となり該当階の利用者が聞き取りにくい問題がある。また、到着音が昇降路内を伝搬し、他階の利用者にも到着音が聞こえてしまうという問題がある。
【０００４】
このような問題を解決するために、エレベーターの乗り場ドアとかごドアの隙間を利用して、乗り場ドアのドアパネル裏側に到着音を発するスピーカを取り付け、そのスピーカの前面、即ち、ドアパネルの乗り場側に放音穴を設けて該当階にて到着音を聞き取り易くしたエレベーター乗り場ドアが提案されている（例えば、特許文献１参照）。
【０００５】
【特許文献１】特開平５−１９３８８１号公報（段落０００５、図１）
【発明の開示】
【発明が解決しようとする課題】
【０００６】
しかし、前記特許文献１で提案されているエレベーター乗り場ドアは、ドアパネルの乗り場側に放音穴を設けているため、意匠的に好ましくない問題がある。
【０００７】
この発明は上記のような問題を解決するためになされたもので、エレベーター乗り場ドアの意匠性を保ちながら、エレベーターの運転方向を表示すると共に、到着音を聞き取り易くしたエレベーターの乗り場表示装置を提供するものである。
【課題を解決するための手段】
【０００８】
この発明に係るエレベーターの乗り場表示装置は、エレベーター乗り場に設置され、利用者にエレベーターの到着及び運転方向を視覚信号及び聴覚信号で知らせる表示部を備えたエレベーターの乗り場表示装置であって、前記表示部は、微細穴が形成された部材で構成されることを特徴とするものである。
【発明の効果】
【０００９】
この発明に係るエレベーターの乗り場表示装置によれば、エレベーター乗り場ドアの意匠性を保ちながら、エレベーターの運転方向を表示すると共に、到着音の聞き取り易いエレベーターの乗り場表示装置を得ることができる。
【発明を実施するための最良の形態】
【００１０】
以下、この発明に係るエレベーターの乗り場表示装置の好適な実施の形態について図面を参照して説明する。なお、この実施の形態によってこの発明が限定されるものではない。
【００１１】
実施の形態１．
図１はこの発明が適用されるエレベーター乗り場の正面図を示し、図２はこの発明の実施の形態１に係るエレベーターの乗り場表示装置の正面図、図３は図２のＡ−Ａ線断面図である。
【００１２】
これらの図において、エレベーター乗り場１の床２には三方枠３と乗り場ドア４が立設され、この乗り場ドア４の上方側部の壁面５に乗り場表示装置６が設置されている。また、乗り場表示装置６の下方における壁面５には乗り場呼び装置７が設置されている。
【００１３】
乗り場表示装置６は、表板８及び表示部９により乗り場側に面する意匠面を成し、壁面５に埋設されたボックス１０、チャイムあるいはスピーカ等の聴覚信号を生成する発音装置１１、及び上下の視覚信号を生成する、例えばランプ１２ａ、１２ｂ等を備えた点灯装置１２により構成されている。
【００１４】
表示部９はガラスクロス等の布のように微細穴を有し、かつ、光を適度に透過する材料により構成されている。また、乗り場表示装置６の正面のみでなく、側面からの点灯状態が確認しやすいように、表板８から突出する形状に形成され、表板８に固定されている。なお、表板８は中央部に開口部８ｈが形成されると共に、壁面５に密着するようにボックス１０に固定され、利用者が誤って器具内部に触れないようにボックス１０の開口部１０ｈを覆うものである。また、発音装置１１及び点灯装置１２は、エレベーターの制御装置（図示せず）からの信号を受けて、エレベーターの到着並びに運転方向を音及びランプ１２ａ、１２ｂの点灯により、利用者に知らせるものである。
【００１５】
点灯装置１２は表示部９を裏面より照らすように配置され、上下のランプ１２ａ、１２ｂの間には遮光板１３が設けられている。遮光板１３はエレベーターの運転方向が認識し易い、例えば上側のランプ１２ａを点灯させた場合に、表示部９の下側まで光って見えることがないように、遮光する役目を有している。
【００１６】
発音装置１１は点灯装置１２の照光範囲を避けて配置され、振動板等の音の出る面を表示部９側に向けて斜めに配置し、乗り場側へ到着音を効率よく伝えるように構成されている。
【００１７】
前述のように、一般的にはエレベーター乗り場にホールランタンを設け、利用者にエレベーターの到着並びに運転方向を視覚的に表示している。ホールランタンの表示部は、通常、アクリル等の樹脂材や、ガラスにより構成されることが多いため、例えホールランタンの内部に発音装置を内蔵したとしても、ホールランタンの開口部が個体物で全て覆われているため、音の抜ける穴がなく、エレベーターの到着音が乗り場に伝わらない。しかし、この発明の実施の形態１に係るエレベーターの乗り場表示装置によれば、表示部９に微細穴を有する材料を使用することにより、発音装置１１の乗り場側開口部を覆った状態でも、発音装置１１の音を効率よく利用者に伝えることが可能である。そのため、エレベーター乗り場１の利用者は明瞭に到着音を聞き取ることができ、また、該当階以外に不必要に到着音が漏れることがなくなる。
【００１８】
実施の形態２．
次に、この発明の実施の形態２に係るエレベーターの乗り場表示装置について説明する。
図４は実施の形態２に係るエレベーターの乗り場表示装置の正面図、図５は図４のＢ−Ｂ線断面図、図６は図４の上面図である。
【００１９】
これらの図において、表示部２０は、表板２１から所定の隙間を形成してねじ２２により表板２１に取り付けられている。表板２１には開口部２１ｈが形成されており、開口部２１ｈは裏板２３によりボックス１０側から塞がれている。裏板２３は上下のランプ１２ａ、１２ｂを備えた点灯装置１２の光を透過する透明の樹脂材等からなる材料で構成されており、スピーカ等の発音装置１１の到着音が乗り場側に伝えることができるように、所定サイズ、例えば直径２〜４mm程度の放音穴２３ｈが複数個設けられている。放音穴２３ｈのサイズ及び数量は、乗り場側の利用者が誤って器具内部に手を触れることがないように、十分小さく、かつ、到着音が十分伝わる程度の開口面積を確保している。
【００２０】
表示部２０は乳白色の樹脂材等のように、表板２１の開口部２１ｈや裏板２３が直接見えることがなく、点灯装置１２の光を適度に乗り場側へ透過することができる半透明材料で構成されている。この表示部２０は表板８から突出する円弧状に形成されており、その上下方向に開口部８ｈが形成され、到着音が裏板２３の放音穴２３ｈを通って開口部８ｈから抜けるように構成されている。なお、その他の構成については、実施の形態１と同様であり、同一符号を付すことにより、説明を省略する。
【００２１】
実施の形態２に係るエレベーターの乗り場表示装置は上記のように構成されており、裏板２３には放音穴２３ｈが設けられているが、半透明材料で構成された表示部２０が裏板２３の前面を覆っており、放音穴２３ｈが直接見えることはなく、意匠性を向上させることができる。また、表示部２０は表板２１から所定の隙間を設けて取り付けられており、発音装置１１の到着音を塞ぐことがない。そのため、発音装置１１の到着音は該当階へ流れ、乗り場の利用者は明確に到着音を聞き取ることができると共に、該当階以外に不必要に到着音が漏れることがなくなる。
【産業上の利用可能性】
【００２２】
以上のように、この発明に係るエレベーターの乗り場表示装置は、意匠的を重視したエレベーター乗り場の乗り場表示装置として利用できる。
【図面の簡単な説明】
【００２３】
【図１】この発明が適用されるエレベーター乗り場の正面図である。
【図２】この発明の実施の形態１に係るエレベーターの乗り場表示装置の正面図である。
【図３】図２のＡ−Ａ線断面図である。
【図４】実施の形態２に係るエレベーターの乗り場表示装置の正面図である。
【図５】図４のＢ−Ｂ線断面図である。
【図６】図４の上面図である。
【符号の説明】
【００２４】
１  乗り場
２  床
３  三方枠
４  乗り場ドア
５  壁面
６  乗り場表示装置
７  乗り場呼び装置
８，２１  表板
９，２０  表示部
１０  ボックス
１０ｈ，２１ｈ  開口部
１１  発音装置
１２  点灯装置
１２ａ，１２ｂ  ランプ
１３  遮光板
２２  ねじ
２３  裏板
２３ｈ  放音穴
【図１】
2009184803.tif 000003
【図２】
2009184803.tif 000004
【図３】
2009184803.tif 000005
【図４】
2009184803.tif 000006
【図５】
2009184803.tif 000007
【図６】
2009184803.tif 000008